(57)【要約】【課題】ステイプラーおよびその金属製ピンを用いず、環境への負荷を軽減して、自転車のハンドルにリング状に取り付け可能とし、事前に作り溜めすることなく、その都度必要な情報を表示可能として、駐輪場におけるデータ管理を簡易かつ確実に行うことができる駐輪票、これを用いた一時預かりシステムおよび一時預かり方法を提供すること。【解決手段】使用時に固定情報および可変情報を印字し、切込みによってリング状に取り付け可能とすることに着目し、票本体４４の第１の端部４６の近傍に左右一対の弧状切込み４８を形成し、第２の端部４７の近傍に票本体４４の幅方向中央に位置して、長手方向切込み５１および幅方向切込み５２からなる交差形切込み５０を形成し、左右一対の弧状切込み４８の間に位置する弧状切込み中間部５４を幅方向切込み５２に係合して、駐輪票２２Ａをリング状に形成可能としている。【選択図】図３
2014191758.tif 000002
【特許請求の範囲】
【請求項１】
駐輪場における自転車や自動二輪車などの一時預かり用の駐輪票であって、
第１の端部およびこの第１の端部の反対側に第２の端部を有する帯状の票本体と、
この票本体の前記第１の端部あるいは前記第２の端部のいずれか一方に切り離し可能に設けて、領収書を作成可能な領収書作成領域と、
を有するとともに、
前記第１の端部の近傍に、前記票本体の左右両側縁部に向かうように左右一対の弧状切込みを形成し、
前記第２の端部の近傍に、前記票本体の幅方向中央に位置して、長手方向切込みおよびこの長手方向切込みに交差する幅方向切込みからなる交差形切込みを形成し、
前記左右一対の弧状切込みの、前記票本体の幅方向における間に位置する弧状切込み中間部を前記交差形切込みの前記幅方向切込みに係合することにより当該駐輪票をリング状に形成可能としていることを特徴とする駐輪票。
【請求項２】
前記長手方向切込みの長さは、前記票本体の幅の長さより大きくこれを形成することを特徴とする請求項１記載の駐輪票。
【請求項３】
前記長手方向切込みの長さは、前記票本体の幅の半分の長さより大きくこれを形成することを特徴とする請求項１記載の駐輪票。
【請求項４】
前記幅方向切込みの長さは、前記左右一対の弧状切込みの間の前記弧状切込み中間部の長さとほぼ同等ないしやや大きくこれを形成することを特徴とする請求項１ないし３のいずれかに記載の駐輪票。
【請求項５】
前記左右一対の弧状切込みにより前記票本体に形成された左右一対の弧状片が、前記票本体から起立可能であるとともに、前記交差形切込みにより前記票本体に形成された鈎手状片ないしその近傍の前記票本体に係合可能であることを特徴とする請求項１ないし４のいずれかに記載の駐輪票。
【請求項６】
前記左右一対の弧状切込みと前記票本体の前記左右両側縁部との間に、それぞれ脆い部分を残していることを特徴とする請求項１ないし５のいずれかに記載の駐輪票。
【請求項７】
前記交差形切込みにおける前記長手方向切込みおよび前記幅方向切込みの交差部に、脆い部分を残していることを特徴とする請求項１ないし６のいずれかに記載の駐輪票。
【請求項８】
前記第１の端部から前記左右一対の弧状切込みの間の前記弧状切込み中間部に向かって、前記票本体の幅方向中央部に前記票本体の長手方向と平行な折畳み線を形成していることを特徴とする請求項１ないし７のいずれかに記載の駐輪票。
【請求項９】
当該駐輪票は、これをプリンターに装填可能であるとともに、
前記票本体には、少なくとも当該駐輪票としての連続番号、一時預かり時点の日付け、および前記領収書の領収金額を印字可能としていることを特徴とする請求項１ないし８のいずれかに記載の駐輪票。
【請求項１０】
駐輪場における自転車や自動二輪車などの一時預かり用の駐輪票を用いた一時預かりシステムであって、
前記駐輪票は、
第１の端部およびこの第１の端部の反対側に第２の端部を有する帯状の票本体と、
この票本体の前記第１の端部あるいは前記第２の端部のいずれか一方に切り離し可能に設けて、領収書を作成可能な領収書作成領域と、を有するとともに、
前記第１の端部の近傍に、前記票本体の左右両側縁部に向かうように左右一対の弧状切込みを形成し、
前記第２の端部の近傍には、前記票本体の幅方向中央に位置して、長手方向切込みおよびこの長手方向切込みに交差する幅方向切込みからなる交差形切込みを形成し、
前記駐輪票を装填して、前記票本体に、少なくとも前記駐輪票としての連続番号、一時預かり時点の日付け、および前記領収書の領収金額を印字可能なプリンターを設け、
前記左右一対の弧状切込みの、前記票本体の幅方向における間に位置する弧状切込み中間部を前記交差形切込みの前記幅方向切込みに係合することにより、前記駐輪票を前記自転車や自動二輪車などにリング状に取り付け可能とし、
前記プリンターにおいて、前記駐輪票に印字した前記連続番号、前記一時預かり時点の日付け、および前記領収書の前記領収金額を記憶管理可能とすることを特徴とする駐輪票を用いた一時預かりシステム。
【請求項１１】
駐輪場における自転車や自動二輪車などの一時預かり用の駐輪票を用いた一時預かり方法であって、
前記駐輪票は、
第１の端部およびこの第１の端部の反対側に第２の端部を有する帯状の票本体と、
この票本体の前記第１の端部あるいは前記第２の端部のいずれか一方に切り離し可能に設けて、領収書を作成可能な領収書作成領域と、を有するとともに、
前記第１の端部の近傍に、前記票本体の左右両側縁部に向かうように左右一対の弧状切込みを形成しておき、
前記第２の端部の近傍には、前記票本体の幅方向中央に位置して、長手方向切込みおよびこの長手方向切込みに交差する幅方向切込みからなる交差形切込みを形成しておき、
前記駐輪票は、これをプリンターに装填し、
前記票本体には、少なくとも前記駐輪票としての連続番号、一時預かり時点の日付け、および前記領収書の領収金額を印字した上で、
前記左右一対の弧状切込みの、前記票本体の幅方向における間に位置する弧状切込み中間部を前記交差形切込みの前記幅方向切込みに係合することにより、前記駐輪票を前記自転車や自動二輪車などにリング状に取り付け、
前記プリンターにおいて、前記駐輪票に印字した前記連続番号、前記一時預かり時点の日付け、および前記領収書の前記領収金額を記憶管理することを特徴とする駐輪票を用いた一時預かり方法。
【発明の詳細な説明】
【技術分野】
【０００１】
本発明は駐輪票、これを用いた一時預かりシステムおよび一時預かり方法にかかるもので、とくに駐輪場における自転車や自動二輪車などを一時的に預かるために自転車や自動二輪車などのハンドルその他の部分にリング状に取り付ける駐輪票、これを用いた一時預かりシステムおよび一時預かり方法に関するものである。
【背景技術】
【０００２】
従来からの駐輪票およびこれを用いた一時預かり方法について、図６にもとづき概説する。
図６は、従来の駐輪票１の平面図である。
駐輪票１は、所定の長さを有する帯状のその票本体２に、たとえば「自転車駐輪票／○○市駐輪場」との表題欄３と、たとえば「Ｎｏ．１２３４」などとの連番欄４と、たとえば「必ず施錠して下さい。」その他の注意書き欄５と、たとえば「２０１３．３．１．」などとの日付け欄６と、領収書７と、を設けている。
【０００３】
領収書７は、票本体２に形成したミシン目８においてこれを切り離し可能としてあって、駐輪場使用者の用に供する。
領収書７には、「領収書」との領収書表題欄９と、たとえば「￥１００」などとの領収金額欄１０と、たとえば「２０１３．３．１」などとの領収日付け欄１１と、たとえば「Ｎｏ．１２３４」などとの領収連番欄１２と、「○○市駐輪場」などとの領収主表示欄１３と、を設けている。なお、必要に応じて、駐輪場管理用の控え（図示せず）を票本体２に切り離し可能に設けている場合もある。
【０００４】
このような駐輪票１の使用にあたっては、駐輪票１を自転車のハンドル部分にリング状に掛けまわし、ステイプラーを用いてその金属製ピン（ともに図示せず）でリング状に取り付けているが、取付け時あるいは取外し時にステイプラーあるいは金属製ピンで指をけがしたり、駐輪票１の使用後には、この金属製ピンが廃棄されて環境上好ましくないという問題がある。
【０００５】
また、とくに連番欄４および日付け欄６に表示すべきそれぞれの情報は、一台一台の自転車ごと、さらに一時預かりの日付けによって異なる可変情報である。
しかしながら、とくに連番欄４に表示される連続番号は、従来は、票本体２にあらかじめ印刷されて準備されるものであり、駐輪票１は、その所定枚数を事前に作成する、いわば作り溜めされているものである。
したがって、駐輪票１自体は自転車や自動二輪車の一時預かりごとに使用消費されてゆくが、所定枚数の駐輪票１自体の保管および管理の手間が必須であり、駐輪場管理上、簡易化が望まれているという問題がある。
領収書７部分もあらかじめ印刷されている場合が多いが、料金改定でその領収金額欄１０に変更が必要になれば、今までの作り溜めされた駐輪票１が無駄になるという問題がある。
【０００６】
さらにまた、日付け欄６および領収日付け欄１１は、スタンプ（図示せず）により、その一時預かり時点の日付けを手動でスタンプしなければならず、とくに日付けに加えて時刻（駐輪開始時刻）をスタンプする管理の場合には、さらなる手間が必要であるという問題がある。
【０００７】
なおまた、駐輪場におけるデータ管理としては、日付けごとあるいは時間帯による利用台数およびその領収金額の確認などがあるが、この確認作業のために、残った駐輪票１の連続番号の照合（あるいは駐輪場控えの照合）を手元に残った紙情報にもとづいて行う必要があるため、集計を行う手間はもちろん、集計における人的手違いなどによる管理ミスが発生しやすいという問題がある。
【先行技術文献】
【特許文献】
【０００８】
【特許文献１】実用新案登録第３１２４４３２号公報
【発明の概要】
【発明が解決しようとする課題】
【０００９】
本発明は以上のような諸問題にかんがみなされたもので、ステイプラーおよびその金属製ピンを用いることなく、すなわち、環境への負荷を軽減して、自転車のハンドルなどにリング状に取り付け可能とした駐輪票、これを用いた一時預かりシステムおよび一時預かり方法を提供することを課題とする。
【００１０】
また本発明は、プレプリントにより事前に作り溜めすることなく、その都度必要な情報ないし内容を表示可能とした駐輪票、これを用いた一時預かりシステムおよび一時預かり方法を提供することを課題とする。
【００１１】
また本発明は、日付けや時刻などをスタンプを用いずに表示可能とした駐輪票、これを用いた一時預かりシステムおよび一時預かり方法を提供することを課題とする。
【００１２】
また本発明は、駐輪場におけるデータ管理を簡易かつ確実に行うことができる駐輪票、これを用いた一時預かりシステムおよび一時預かり方法を提供することを課題とする。
【課題を解決するための手段】
【００１３】
すなわち本発明は、駐輪票の票本体自体はプレプリントのない無地の帯状材として、その使用時に必要に応じた固定情報および可変情報を印字可能とするとともに、所定の切込みを形成して、全体をリング状に取り付け可能とすることに着目したもので、第一の発明は、駐輪場における自転車や自動二輪車などの一時預かり用の駐輪票であって、第１の端部およびこの第１の端部の反対側に第２の端部を有する帯状の票本体と、この票本体の上記第１の端部あるいは上記第２の端部のいずれか一方に切り離し可能に設けて、領収書を作成可能な領収書作成領域と、を有するとともに、上記第１の端部の近傍に、上記票本体の左右両側縁部に向かうように左右一対の弧状切込みを形成し、上記第２の端部の近傍に、上記票本体の幅方向中央に位置して、長手方向切込みおよびこの長手方向切込みに交差する幅方向切込みからなる交差形切込みを形成し、上記左右一対の弧状切込みの、上記票本体の幅方向における間に位置する弧状切込み中間部を上記交差形切込みの上記幅方向切込みに係合することにより当該駐輪票をリング状に形成可能としていることを特徴とする駐輪票である。
【００１４】
第二の発明は、駐輪場における自転車や自動二輪車などの一時預かり用の駐輪票を用いた一時預かりシステムであって、上記駐輪票は、第１の端部およびこの第１の端部の反対側に第２の端部を有する帯状の票本体と、この票本体の上記第１の端部あるいは上記第２の端部のいずれか一方に切り離し可能に設けて、領収書を作成可能な領収書作成領域と、を有するとともに、上記第１の端部の近傍に、上記票本体の左右両側縁部に向かうように左右一対の弧状切込みを形成し、上記第２の端部の近傍には、上記票本体の幅方向中央に位置して、長手方向切込みおよびこの長手方向切込みに交差する幅方向切込みからなる交差形切込みを形成し、上記駐輪票を装填して、上記票本体に、少なくとも上記駐輪票としての連続番号、一時預かり時点の日付け、および上記領収書の領収金額を印字可能なプリンターを設け、上記左右一対の弧状切込みの、上記票本体の幅方向における間に位置する弧状切込み中間部を上記交差形切込みの上記幅方向切込みに係合することにより、上記駐輪票を上記自転車や自動二輪車などにリング状に取り付け可能とし、上記プリンターにおいて、上記駐輪票に印字した上記連続番号、上記一時預かり時点の日付け、および上記領収書の上記領収金額を記憶管理可能とすることを特徴とする駐輪票を用いた一時預かりシステムである。
【００１５】
第三の発明は、駐輪場における自転車や自動二輪車などの一時預かり用の駐輪票を用いた一時預かり方法であって、上記駐輪票は、第１の端部およびこの第１の端部の反対側に第２の端部を有する帯状の票本体と、この票本体の上記第１の端部あるいは上記第２の端部のいずれか一方に切り離し可能に設けて、領収書を作成可能な領収書作成領域と、を有するとともに、上記第１の端部の近傍に、上記票本体の左右両側縁部に向かうように左右一対の弧状切込みを形成しておき、上記第２の端部の近傍には、上記票本体の幅方向中央に位置して、長手方向切込みおよびこの長手方向切込みに交差する幅方向切込みからなる交差形切込みを形成しておき、上記駐輪票は、これをプリンターに装填し、上記票本体には、少なくとも上記駐輪票としての連続番号、一時預かり時点の日付け、および上記領収書の領収金額を印字した上で、上記左右一対の弧状切込みの、上記票本体の幅方向における間に位置する弧状切込み中間部を上記交差形切込みの上記幅方向切込みに係合することにより、上記駐輪票を上記自転車や自動二輪車などにリング状に取り付け、上記プリンターにおいて、上記駐輪票に印字した上記連続番号、上記一時預かり時点の日付け、および上記領収書の上記領収金額を記憶管理することを特徴とする駐輪票を用いた一時預かり方法である。
【００１６】
上記長手方向切込みの長さは、上記票本体の幅の長さより大きくこれを形成することができる。
【００１７】
上記長手方向切込みの長さは、上記票本体の幅の半分の長さより大きくこれを形成することができる。
【００１８】
上記幅方向切込みの長さは、上記左右一対の弧状切込みの間の上記弧状切込み中間部の長さとほぼ同等ないしやや大きくこれを形成することができる。
【００１９】
上記左右一対の弧状切込みにより上記票本体に形成された左右一対の弧状片が、上記票本体から起立可能であるとともに、上記交差形切込みにより上記票本体に形成された鈎手状片ないしその近傍の上記票本体に係合可能であることができる。
【００２０】
上記左右一対の弧状切込みと上記票本体の上記左右両側縁部との間に、それぞれ脆い部分を残していることができる。
【００２１】
上記交差形切込みにおける上記長手方向切込みおよび上記幅方向切込みの交差部に、脆い部分を残していることができる。
【００２２】
上記第１の端部から上記左右一対の弧状切込みの間の上記弧状切込み中間部に向かって、上記票本体の幅方向中央部に上記票本体の長手方向と平行な折畳み線を形成していることができる。
【００２３】
当該駐輪票は、これをプリンターに装填可能であるとともに、上記票本体には、少なくとも当該駐輪票としての連続番号、一時預かり時点の日付け、および上記領収書の領収金額を印字可能としていることができる。
【発明の効果】
【００２４】
本発明による駐輪票、これを用いた一時預かりシステムおよび一時預かり方法においては、票本体の第１の端部の近傍に左右一対の弧状切込みを形成するとともに、第２の端部の近傍に交差形切込みを形成して、左右一対の弧状切込みの、票本体の幅方向における間に位置する弧状切込み中間部を交差形切込みの幅方向切込みに係合することにより駐輪票をリング状に形成可能としたので、従来のようなステイプラーおよびその金属製ピンを用いることなく、環境への負荷を軽減しつつ、駐輪場における自転車や自動二輪車の一時預かりの管理に役立てることができる。
【００２５】
とくに第一の発明の駐輪票によれば、票本体の第１の端部の近傍に形成した左右一対の弧状切込みと、第２の端部の近傍に形成した交差形切込みと、による互いの係合により、当該駐輪票をリング状に形成可能としているので、従来のようなステイプラーおよびその金属製ピンを用いることがなく、自転車や自動二輪車などに一定時間の取付けが可能であって、環境への負荷を軽減可能である。
【００２６】
とくに第二の発明の駐輪票を用いた一時預かりシステムによれば、左右一対の弧状切込みの、票本体の幅方向における間に位置する弧状切込み中間部と交差形切込みの幅方向切込みとの互いの係合によってリング状に形成可能な駐輪票と、この駐輪票に連続番号、一時預かり時点の日付けおよび領収書の領収金額などの可変情報を印字可能なプリンターと、を備えているので、駐輪票およびプリンターの組み合わせ活用により、固定情報および可変情報にかかわらず、駐輪場あるいはその管理システムごとに自由な印字レイアウトが可能で、駐車料金の改定にも融通をもって対応することができるとともに、従来のようなステイプラーおよびその金属製ピン、さらには、紙材による管理を不要として、簡易かつ確実な一時預かり管理を実現可能である。
【００２７】
とくに第三の発明の駐輪票を用いた一時預かり方法によれば、第１の端部の近傍に形成した左右一対の弧状切込みおよび第２の端部の近傍に形成した交差形切込みを有する駐輪票をプリンターに装填して、少なくとも駐輪票としての連続番号、一時預かり時点の日付けおよび領収書の領収金額を印字した上で、駐輪票を自転車や自動二輪車などにリング状に取り付け、プリンターにおいて、駐輪票に印字した連続番号、一時預かり時点の日付け、および領収書の領収金額を記憶管理するようにしたので、従来のようなステイプラーおよびその金属製ピンを不要とし、安心して、簡易かつ確実な一時預かり作業を実行可能である。
【図面の簡単な説明】
【００２８】
【図１】本発明の第１の実施例による駐輪票２２Ａ、この駐輪票２２Ａおよびサーマルプリンター２１を用いた一時預かりシステム２０の概略説明図である。
【図２】同、駐輪票４３Ａおよび熱転写プリンター３９を用いた一時預かりシステム２０の概略側面図である。
【図３】同、駐輪票２２Ａの説明図であって、図３（１）は、駐輪票２２Ａの平面図、図３（２）は、サーマルプリンター２１により所定の情報を印字した状態の駐輪票２２Ｂの平面図である。
【図４】同、駐輪票２２Ｂをリング状に形成する手順を示す説明図であって、図４（１）は、駐輪票２２Ｂ（ただし、図４では印字されたその内容の図示を省略している）の第１の端部４６を第２の端部４７に向かうように票本体４４を弧状に折り曲げてゆく状態の斜視図、図４（２）は、第１の端部４６を票本体４４の面から角度９０度だけ捻った状態で第１の端部４６を交差形切込み５０の長手方向切込み５１に差し込んだ状態の斜視図、図４（３）は、第１の端部４６を角度９０度だけもとの状態に捻り返して駐輪票２２Ｂをリング状とした状態の斜視図、図４（４）は、図４（３）の状態を反対側から見た斜視図である。
【図５】同、本発明の他の実施例による駐輪票の説明図であって、図５（１）は、第２の実施例による駐輪票６０の平面図、図５（２）は、第３の実施例による駐輪票６１の平面図である。
【図６】従来の駐輪票１の平面図である。
【発明を実施するための形態】
【００２９】
本発明は、第１の端部の近傍に形成した左右一対の弧状切込みおよび第２の端部の近傍に形成した交差形切込みを有する駐輪票をリング状に取り付け可能としているので、従来のようなステイプラーおよびその金属製ピンを用いることなく、環境への負荷を低減可能であるとともに、簡易かつ確実な一時預かり管理を行うことができる駐輪票、これを用いた一時預かりシステムおよび一時預かり方法を実現した。
【実施例】
【００３０】
つぎに、本発明の第１の実施例による駐輪票、この駐輪票を用いた一時預かりシステムおよび一時預かり方法を図１ないし図４にもとづき説明する。ただし、図６と同様の部分には同一符号を付し、その詳述はこれを省略する。
図１は、駐輪票を用いた一時預かりシステム２０の概略説明図であって、一時預かりシステム２０は、プリンター（サーマルプリンター２１）と、駐輪票連続体２２と、を有する。
【００３１】
サーマルプリンター２１は、駐輪票連続体２２の供給部２３と、検出部２４と、印字部２５と、切断部２６と、入力部２７および表示部２８と、制御部２９と、を有する。
【００３２】
駐輪票連続体２２は、図１中で、その一部を拡大断面で示すように、任意の情報を印字可能な、いわゆるサーマル紙であって、所定の剛性および柔軟性を有するような厚さに形成した紙材あるいは合成樹脂材などによる帯状の票基材３０と、票基材３０の表面側の感熱発色剤層３１と、を有し、ロール状に巻いてある。
なお、票基材３０の裏面側に、所定ピッチで位置検出用マーク３２をあらかじめ印刷してある。
この駐輪票連続体２２は、切断部２６において所定ピッチで切断することにより単葉の駐輪票２２Ａ（ないしは印字済みの駐輪票２２Ｂ、図３（２））とすることができる。
【００３３】
供給部２３は、ロール状の駐輪票連続体２２を保持し、検出部２４、印字部２５および切断部２６方向に駐輪票連続体２２を帯状に繰り出し可能とする。
【００３４】
検出部２４は、位置検出センサー３３を有し、帯状に繰り出された駐輪票連続体２２の裏面側の位置検出用マーク３２を検出して、印字部２５に対する駐輪票連続体２２（駐輪票２２Ａ）の相対的位置を検出可能とする。
【００３５】
印字部２５は、サーマルヘッド３４およびプラテンローラー３５を有し、この間に所定印字圧力で帯状の駐輪票連続体２２を挟持し、一定速度でプラテンローラー３５を回転駆動するとともに、制御部２９からサーマルヘッド３４への印字データの供給により感熱発色剤層３１を発色させ、駐輪票連続体２２（駐輪票２２Ａ）に所定の固定情報および可変情報を印字可能である。
【００３６】
切断部２６は、固定刃３６および可動刃３７を有し、この間に移送されてきた印字済みの駐輪票連続体２２を所定ピッチで切断して、単葉の駐輪票２２Ｂを発行排出する。
切断部２６としては、固定ノコギリ刃３８（図中、仮想線）を設けて、手動により駐輪票連続体２２から駐輪票２２Ａを切り取り可能とする構成も採用可能である。
【００３７】
入力部２７および表示部２８は、サーマルプリンター２１へのデータおよびコマンドの入力および表示を行う。
【００３８】
制御部２９は、上述の検出部２４、印字部２５、切断部２６、入力部２７および表示部２８を適宜制御するが、とくに印字部２５において印字したデータの内容をその記憶部２９Ａに記憶し、その記憶内容を必要に応じて表示部２８に表示するか、印字部２５により印字発行可能とする。
【００３９】
なお、本発明による一時預かりシステム２０におけるプリンターとしては、サーマルプリンター２１以外にも、図２に示すような熱転写プリンター３９を用いることもできる。
図２は、駐輪票４３Ａおよび熱転写プリンター３９を用いた一時預かりシステム２０の概略側面図であって、熱転写プリンター３９は、上述の供給部２３、検出部２４、印字部２５、切断部２６、入力部２７、表示部２８および制御部２９に加えて、熱転写インクリボン４０の供給軸４１および巻取り軸４２を有する。
【００４０】
供給部２３は、駐輪票連続体４３をロール状に保持する。
駐輪票連続体４３は、図２中で、その一部を拡大断面で示すように、任意の情報を印字可能な、所定の剛性および柔軟性を有するような厚さに形成した一般的な紙材あるいは合成樹脂材などによる帯状の前記票基材３０を有し、これをロール状に巻いてある。
なお、票基材３０の裏面側に、所定ピッチで前記位置検出用マーク３２をあらかじめ印刷してある。
この駐輪票連続体４３は、切断部２６において所定ピッチで切断することにより単葉の駐輪票４３Ａとすることができる。
【００４１】
サーマルプリンター２１あるいは熱転写プリンター３９、さらに駐輪票２２Ａあるいは駐輪票４３Ａのいずれも本発明にかかるものであるが、以下サーマルプリンター２１および駐輪票２２Ａ（図１）を例にとって説明する。
図３は、駐輪票２２Ａの説明図であって、図３（１）は、駐輪票２２Ａの平面図、図３（２）は、サーマルプリンター２１により所定の情報を印字した状態の駐輪票２２Ｂの平面図である。
駐輪票２２Ａは、駐輪場における自転車や自動二輪車などの一時預かり用として使用する駐輪票であって、帯状の票本体４４と、領収書作成領域４５と、を有する。
なお、必要に応じて、駐輪場の控え（図示せず）を票本体２に切り離し可能に設けることもできる。
【００４２】
票本体４４は、第１の端部４６およびこの第１の端部４６の反対側に第２の端部４７を有する。
なお、図３（１）に矢印で示すように、駐輪票連続体２２をサーマルプリンター２１内に装填して移送する下流側の端部を第１の端部４６としている。
領収書作成領域４５は、票本体４４の第１の端部４６あるいは第２の端部４７のいずれか一方に前記ミシン目８（図６）によりこれを切り離し可能に設けて、領収書（図３（２）、後述）を作成可能である。
【００４３】
第１の端部４６の近傍に、票本体４４の左右両側縁部に向かうように、円弧の一部からなる左右一対の弧状切込み４８を形成している。
ただし、左右一対の弧状切込み４８と票本体４４の左右両側縁部との間に、左右一対の弧状切込み４８の上流側に位置してそれぞれ脆い部分４９（いわゆる、点留め）を残している。
脆い部分４９は、票本体４４を切り込まない部分であり、これを簡単に破くことができるとともに、駐輪票連続体２２をサーマルプリンター２１内に装填して移送印字する際には、破れることがなく、駐輪票連続体２２の移送に支障が生じない程度の長さとする。
弧状切込み４８の大きさとしては、脆い部分４９を含んで、その円弧の中心角αが望ましくは９０度以上、たとえば１３５度程度となるように設計する。
左右一対の弧状切込み４８の形成位置としては、駐輪票２２Ａにより形成するリングの大きさに合わせてこれを設計可能である。
また、左右一対の弧状切込み４８の数も一対に限らず、必要に応じてその複数対を互いに離れた位置に形成可能であり、使用する左右一対の弧状切込み４８によって、リングの大きさを調整可能とすることもできる。
【００４４】
第２の端部４７の近傍に、票本体４４の幅方向中央に位置して、交差形切込み５０を形成している。
交差形切込み５０は、長手方向切込み５１およびこの長手方向切込み５１に交差する幅方向切込み５２からなる。
ただし、交差形切込み５０における長手方向切込み５１および幅方向切込み５２の交差部に、脆い部分５３（いわゆる、点留め）を残している（図示の例では、長手方向切込み５１の左右に一対を形成している）。
脆い部分５３は、票本体４４を切り込まない部分であり、これを簡単に破くことができるとともに、駐輪票連続体２２をサーマルプリンター２１内に装填して移送印字する際には、破れることがなく、駐輪票連続体２２の移送に支障が生じない程度の長さとする。
【００４５】
長手方向切込み５１の長さＬ１は、票本体４４の幅の長さＷ１より大きくこれを形成する（Ｗ１＜Ｌ１）。
幅方向切込み５２の長さＬ２は、左右一対の弧状切込み４８の間の弧状切込み中間部５４の長さＷ２とほぼ同等ないしやや大きくこれを形成している（Ｗ２＜Ｌ２）。
【００４６】
駐輪票２２Ａは、これをサーマルプリンター２１（図１）（あるいは熱転写プリンター３９、図２）に装填可能であるとともに、票本体４４には、少なくとも駐輪票２２Ａとしての連続番号、一時預かり時点の日付け、および領収書の領収金額を印字可能としている。
すなわち、図３（２）に示すように、領収書作成領域４５には、前記領収書７（図６）と同様の内容、すなわち、「領収書」との領収書表題欄９と、たとえば「￥１００」などとの領収金額欄１０と、たとえば「２０１３．３．１」などとの領収日付け欄１１と、たとえば「Ｎｏ．１２３４」などとの領収連番欄１２と、「○○市駐輪場」などとの領収主表示欄１３と、を、自転車あるいは自動二輪車などの一時預かりごとに印字する。
さらに、票本体４４に、たとえば「自転車駐輪票／○○市駐輪場」との表題欄３と、たとえば「Ｎｏ．１２３４」などとの連番欄４と、たとえば「２０１３．３．１．」などとの日付け欄６と、たとえば「必ず施錠して下さい。」その他の注意書き欄５と、を、同じく自転車あるいは自動二輪車などの一時預かりごとに印字している。
したがって、従来のように所定枚数の駐輪票１（図６）の作り溜めが不要であるとともに、スタンプなどを使用することもない。
【００４７】
こうした構成の駐輪票２２Ａは、等幅の帯状片であり、外形構成が単純で、その複数枚を連続して駐輪票連続体２２として構成してあるとともに、左右一対の弧状切込み４８および交差形切込み５０の部分にそれぞれ、脆い部分４９および脆い部分５３を形成してあるので、サーマルプリンター２１内に装填し、その移送印字に何らの支障はない。
駐輪場の係員は、サーマルプリンター２１による上述した所定情報を駐輪票２２Ａに印字したのち、領収書作成領域４５部分を領収書としてミシン目８から切り離して使用者に渡すとともに、印字済みの駐輪票２２Ｂとして、左右一対の弧状切込み４８の、票本体４４の幅方向における間に位置する弧状切込み中間部５４を交差形切込み５０の幅方向切込み５２に係合し、これをリング状に形成することにより自転車などのハンドルＨ（図４）に取り付ける。
すなわち、図４は、駐輪票２２Ｂをリング状に形成する手順を示す説明図であって、図４（１）は、駐輪票２２Ｂ（ただし、図４では印字されたその内容の図示を省略している）の第１の端部４６を第２の端部４７に向かうように票本体４４を弧状に折り曲げてゆく状態の斜視図、図４（２）は、第１の端部４６を票本体４４の面から角度９０度だけ捻った状態で第１の端部４６を交差形切込み５０の長手方向切込み５１に差し込んだ状態の斜視図、図４（３）は、第１の端部４６を角度９０度だけもとの状態に捻り返して駐輪票２２Ｂをリング状とした状態の斜視図、図４（４）は、図４（３）の状態を反対側から見た斜視図である。
【００４８】
とくに図４（１）に示すように、第１の端部４６を第２の端部４７に向かうように票本体４４を弧状に折り曲げてゆく。
ついで図４（２）に示すように、第１の端部４６を票本体４４の面から角度９０度だけ捻ることにより、第１の端部４６を交差形切込み５０の長手方向切込み５１に合わせて、これを差し込み可能な姿勢とした上で、第１の端部４６を交差形切込み５０の長手方向切込み５１に差し込む。
【００４９】
なお、第１の端部４６を交差形切込み５０の長手方向切込み５１に差し込む前に交差形切込み５０の脆い部分５３を破ることにより、第１の端部４６の差し込み操作を可能とし、交差形切込み５０により票本体４４に形成された鈎手状片５５（図示の例では、四枚）が票本体４４から起立可能としておく。
また、左右一対の弧状切込み４８の脆い部分４９を破ることにより、左右一対の弧状切込み４８により票本体４４に形成された左右一対の弧状片５６が、票本体４４から起立可能としておく。
かくして、図４（２）に示すように、第１の端部４６を交差形切込み５０の長手方向切込み５１に差し込むことにより、少なくとも左右一対の弧状切込み４８をその脆い部分４９が位置していた部分まで（弧状片５６まで）を票本体４４の反対側の面まで挿通させた状態とする。なお、交差形切込み５０により票本体４４に形成された鈎手状片５５が票本体４４から起立可能であり、この挿通操作を容易としている。
【００５０】
図４（３）および図４（４）に示すように、交差形切込み５０により票本体４４に形成された鈎手状片５５が票本体４４から起立可能であるので、第１の端部４６を角度９０度だけもとの状態まで捻り返すことができ、弧状切込み中間部５４が幅方向切込み５２に係合するとともに、左右一対の弧状片５６が鈎手状片５５ないしその近傍の票本体４４に係合可能である。
【００５１】
弧状切込み４８の大きさとしては、脆い部分４９の弧長を含んで、その円弧の中心角αが、たとえば１３５度程度となるように設計されているので、弧状切込み４８の弧状長さとしては、弧状片５６が幅方向切込み５２に係合した状態を維持し、第１の端部４６が幅方向切込み５２から抜け出ないようにすることができるだけの長さを確保している。
【００５２】
かくして、当該一時預かりシステム２０においては、サーマルプリンター２１に駐輪票２２Ａ（駐輪票連続体２２）を装填して、票本体４４に、少なくとも駐輪票２２Ａとしての連続番号（連番欄４、領収連番欄１２を参照）、一時預かり時点の日付け（日付け欄６、領収日付け欄１１を参照）、および領収書の領収金額（領収金額欄１０を参照）、さらに固定情報あるいは可変情報にかかわらずその他必要な情報を印字し、左右一対の弧状切込み４８の間に位置する弧状切込み中間部５３を交差形切込み５０の幅方向切込み５２に係合することにより、駐輪票２２Ａを自転車や自動二輪車などにリング状に取り付けることができる。
【００５３】
駐輪場の使用者としては、使用後、駐輪票２２Ｂには弧状切込み４８および交差形切込み５０などの切り込みが形成されているので、駐輪票２２Ｂを容易に破ることができ、駐輪票２２Ｂを自転車などのハンドルＨから取り外すことができる。
また、駐輪場としては、サーマルプリンター２１において、駐輪票２２Ａに印字した連続番号、一時預かり時点の日付け、および領収書の領収金額、その他、駐輪票２２Ａの発行枚数や発行日時などの管理情報を制御部２９の記憶部２９Ａに記憶させることができるので、これらの管理情報を表示部２８に適宜表示するか、必要であれば印字部２５により印字発行してデータ管理に利用することができる。
【００５４】
図５は、本発明の他の実施例による駐輪票の説明図であって、図５（１）は、第２の実施例による駐輪票６０の平面図、図５（２）は、第３の実施例による駐輪票６１の平面図である。
図５（１）に示すように、駐輪票６０は、図３（１）に示した前記弧状切込み４８とは異なり、票本体４４の第１の端部４６に脆い部分４９を下流側に位置させてその弧状の向きないしは位置が異なる弧状切込み６２を形成している。
第２の端部４７に形成している交差形切込み６３は、長手方向切込み５１の端部に幅方向切込み５２を交差させている。
ただし、図中、仮想線で示すように、長手方向切込み５１に対する幅方向切込み５２の位置は、必要に応じて長手方向切込み５１の長手方向の任意の位置で交差するように設計可能である。
【００５５】
こうした構成の駐輪票６０においても、駐輪票２２Ａと同様に、サーマルプリンター２１（図１）において必要な諸情報を印字した上で駐輪票６０をリング状に形成可能であって、サーマルプリンター２１とともに一時預かりシステム２０として構成することができる。
【００５６】
図５（２）に示すように、駐輪票６１には、票本体４４の第１の端部４６に弧状切込み４８を形成するとともに、第１の端部４６から左右一対の弧状切込み４８の間の弧状切込み中間部５４に向かって、票本体４４の幅方向中央部に票本体４４の長手方向と平行な折畳み線６４を形成している。
折畳み線６４としては、ミシン目によりこれを構成してもよいし、あらかじめ折り目を付けておくようにすることもできる。
第２の端部４７に形成している交差形切込み６５は、長手方向切込み５１の中央に幅方向切込み５２を交差させている。
ただし、長手方向切込み５１の長さＬ３は、票本体４４の幅Ｗ１の半分の長さより大きくこれを形成すればよい（Ｗ１／２＜Ｌ３）。
すなわち、第１の端部４６の票本体４４を折畳み線６４の部分で半分に折り畳み、この折り畳んだ状態の第１の端部４６を長手方向切込み５１に差し込み通すことにより、第１の端部４６の弧状切込み４８を票本体４４の反対側に位置させることができる。
【００５７】
半分に折り畳んだ状態で票本体４４を貫通した第１の端部４６をもとの状態に開き、票本体４４の反対側に位置した弧状切込み４８による弧状片５６を票本体４４の裏側に起立させれば、図４（３）、（４）に示したリング状の状態に駐輪票６１を形成することができる。
【００５８】
かくして、駐輪票６０および駐輪票６１を一時預かりシステム２０のサーマルプリンター２１とともに利用することにより、既述の駐輪票２２Ａの場合と同様に、駐輪場における簡易かつ確実な一時預かりおよびそのデータ管理を行うことができる。
【符号の説明】
【００５９】
１  駐輪票（従来、図６）
２  票本体
３  表題欄
４  連番欄
５  注意書き欄
６  日付け欄
７  領収書
８  ミシン目
９  領収書表題欄
１０  領収金額欄
１１  領収日付け欄
１２  領収連番欄
１３  領収主表示欄
２０  一時預かりシステム（実施例、図１、図２）
２１  サーマルプリンター（プリンター、図１）
２２  駐輪票連続体
２２Ａ  駐輪票連続体２２の駐輪票（図３（１））
２２Ｂ  駐輪票連続体２２の印字済みの駐輪票（図３（２））
２３  供給部
２４  検出部
２５  印字部
２６  切断部
２７  入力部
２８  表示部
２９  制御部
２９Ａ  制御部２９の記憶部
３０  票基材
３１  感熱発色剤層
３２  位置検出用マーク
３３  位置検出センサー
３４  サーマルヘッド
３５  プラテンローラー
３６  固定刃
３７  可動刃
３８  固定ノコギリ刃
３９  熱転写プリンター（プリンター、図２）
４０  熱転写インクリボン
４１  供給軸
４２  巻取り軸
４３  駐輪票連続体
４３Ａ  駐輪票
４４  票本体（図３）
４５  領収書作成領域
４６  票本体４４の第１の端部
４７  票本体４４の第２の端部
４８  左右一対の弧状切込み
４９  弧状切込み４８の脆い部分
５０  交差形切込み
５１  長手方向切込み
５２  幅方向切込み
５３  交差形切込み５０の脆い部分
５４  左右一対の弧状切込み４８の間の弧状切込み中間部
５５  交差形切込み５０による鈎手状片
５６  弧状切込み４８による弧状片
６０  駐輪票（第２の実施例、図５（１））
６１  駐輪票（第３の実施例、図５（２））
６２  左右一対の弧状切込み（図５（１））
６３  交差形切込み（図５（１））
６４  折畳み線（図５（２））
６５  交差形切込み６５（図５（２））
α    弧状切込み４８がその脆い部分４９を含む、その円弧の中心角（図３（１））
Ｈ    自転車などのハンドル（図４）
Ｌ１  長手方向切込み５１の長さ（第１、第２の実施例、図３（１））
Ｌ２  幅方向切込み５２の長さ（第１、第２の実施例、図３（１））
Ｌ３  長手方向切込み５１の長さ（Ｗ１／２＜Ｌ３）（第３の実施例、図５（２））
Ｗ１  票本体４４の幅の長さ（Ｗ１＜Ｌ１）（第１、第２、第３の実施例、図３（１））
Ｗ２  左右一対の弧状切込み４８の間の弧状切込み中間部５４の長さ（Ｗ２＜Ｌ２）（第１、第２、第３の実施例、図３（１））
【図１】
2014191758.tif 000003
【図２】
2014191758.tif 000004
【図３】
2014191758.tif 000005
【図４】
2014191758.tif 000006
【図５】
2014191758.tif 000007
【図６】
2014191758.tif 000008